(57)【特許請求の範囲】
【請求項１】
脚部に取付けた取付体に対して背凭れ支持部材をばねユニットにて前傾方向へ弾性付勢する椅子の背凭れ傾動機構において、前記ばねユニットは、ノブから延びたテンション杆を当止体に挿通するとともに、ノブと当止体間に圧縮コイルばねを介装し、前記テンション杆の先端に係止片を略Ｔ字形となるように形成してなり、前記取付体には前記係止片が通過可能な長形孔とそれに交叉する係合凹部からなる係止部を形成し、前記背凭れ支持部材には前記係止片が通過可能且つ前記当止体が通過不能な開口を形成し、前記テンション杆の先端部を開口と長形孔に挿通し且つ前記当止体を背凭れ支持部材の背面に当止した後、テンション杆を回転させて前記係止片を係合凹部に係合するとともに、前記長形孔内に規制体の一部を嵌合保持して前記テンション杆を回転止めしてなることを特徴とする椅子の背凭れ傾動機構におけるばねユニットの取付構造。
【請求項２】
前記規制体は、前記背凭れ支持部材の背面に係止し且つ前記開口を通して前記当止体に接触可能であるとともに、中心部に前記テンション杆を挿通する挿通孔を形成したフランジ部と、該フランジ部の挿通孔を挟んだ位置から延び前記テンション杆の両側に残る前記長形孔内に嵌入可能であるとともに、前記係止片の上端に係止可能な一対の嵌合片と、を有するものである請求項１記載の椅子の背凭れ傾動機構におけるばねユニットの取付構造。
【請求項３】
前記規制体の両嵌合片の先端に、前記テンション杆の係止片を渡した状態で係止可能な凹溝を形成し、両嵌合片の凹溝に係止片を係止した状態で前記長形孔に下方から両嵌合片及び係止片を挿入可能となした請求項２記載の椅子の背凭れ傾動機構におけるばねユニットの取付構造。
【請求項４】
前記ばねユニットの当止体は、中心部に円形孔を形成するとともに、前記圧縮コイルばねの一端を当止し得る当止板と、二つ割り部材であり、重合面に前記テンション杆をスライド可能に挟持する縦溝を形成するとともに、下部外周に前記当止板の円形孔に接合するテーパー面を形成し且つ重合状態で上端が前記背凭れ支持部材の開口縁に当止可能である当止部材とからなり、更に前記当止板の周囲から延びた筒状カバー部と前記ノブとで前記圧縮コイルばねを外覆してなる請求項１〜３何れかに記載の椅子の背凭れ傾動機構におけるばねユニットの取付構造。
【請求項５】
前記ノブは少なくとも一端が閉塞板で閉塞された筒体であり、一端の閉塞板と、ノブ内部に回転不能且つ軸方向スライド可能に内装するとともに、前記テンション杆を螺合した可動板との間に圧縮コイルばねを介装したものであり、前記ばねユニットの当止体は、中心部に円形孔を形成した前記閉塞板と、二つ割り部材であり、重合面に前記テンション杆をスライド可能に挟持する縦溝を形成するとともに、下部外周に前記閉塞板の円形孔に接合するテーパー面を形成し且つ重合状態で上端が前記背凭れ支持部材の開口縁に当止可能である当止部材とからなる請求項１〜３何れかに記載の椅子の背凭れ傾動機構におけるばねユニットの取付構造。
【発明の詳細な説明】
【０００１】
【発明の属する技術分野】
本発明は、椅子の背凭れ傾動機構におけるばねユニットの取付構造に係わり、更に詳しくは背凭れ部を前傾方向へ弾性付勢するためのばねユニットを所定部位に取付けるためのばねユニットの取付構造に関するものである。
【０００２】
【従来の技術】
従来、座部に対して背凭れ部が前後傾動し、座部と背凭れ部との間に設けた強さが調節可能なばねユニットにて該背凭れ部の後傾動に対して弾性抵抗力を付与してなる椅子は公知である。
【０００３】
ここで、前述の椅子に用いられる前記ばねユニットは、座部の下板に形成した小孔に、上方から上端に係止部を設けた軸体を挿通し、次いで背凭れ支持部材の中間部の開口に挿通し、該軸体の下方突出部に圧縮コイルばねを巻装するとともに、該軸体の下部にノブの回転に伴って回転するナット部材を螺合し、背凭れ支持部材とノブ又はナット部材の間に圧縮コイルばねを圧縮状態で保持した構造のものである。
【０００４】
しかし、前述のばねユニットは、前記ナットの抜け止めのために、軸体の下端に螺孔を形成し、該螺孔に頭部がナットの螺孔径より大きいネジを螺着する必要があって加工及び部品コストが高くなるばかりでなく、前記ナットやネジを締めるときに、背凭れ傾動機構部を反転させる必要があるので組立コストも高く、更にばねユニットの部品が椅子を組み立てる前にはバラバラであるので部品管理や組立工数が多いといった欠点がある。
【０００５】
【発明が解決しようとする課題】
そこで、本発明が前述の状況に鑑み、解決しようとするところは、脚部に取付けた取付体に対して背凭れ支持部材をばねユニットにて前傾方向へ弾性付勢する椅子の背凭れ傾動機構において、ばねユニット自体の組立てが容易且つ低コストであるとともに、背凭れ傾動機構へのばねユニットの取付作業が極めて簡単且つ短時間で行うことが可能な椅子の背凭れ傾動機構におけるばねユニットの取付構造を提供する点にある。
【０００６】
【課題を解決するための手段】
本発明は、前述の課題解決のために、脚部に取付けた取付体に対して背凭れ支持部材をばねユニットにて前傾方向へ弾性付勢する椅子の背凭れ傾動機構において、前記ばねユニットは、ノブから延びたテンション杆を当止体に挿通するとともに、ノブと当止体間に圧縮コイルばねを介装し、前記テンション杆の先端に係止片を略Ｔ字形となるように形成してなり、前記取付体には前記係止片が通過可能な長形孔とそれに交叉する係合凹部からなる係止部を形成し、前記背凭れ支持部材には前記係止片が通過可能且つ前記当止体が通過不能な開口を形成し、前記テンション杆の先端部を開口と長形孔に挿通し且つ前記当止体を背凭れ支持部材の背面に当止した後、テンション杆を回転させて前記係止片を係合凹部に係合するとともに、前記長形孔内に規制体の一部を嵌合保持して前記テンション杆を回転止めしてなる椅子の背凭れ傾動機構におけるばねユニットの取付構造を構成した。
【０００７】
ここで、前記規制体は、前記背凭れ支持部材の背面に係止し且つ前記開口を通して前記当止体に接触可能であるとともに、中心部に前記テンション杆を挿通する挿通孔を形成したフランジ部と、該フランジ部の挿通孔を挟んだ位置から延び前記テンション杆の両側に残る前記長形孔内に嵌入可能であるとともに、前記係止片の上端に係止可能な一対の嵌合片と、を有するものであることが好ましい。
【０００８】
更に、前記規制体の両嵌合片の先端に、前記テンション杆の係止片を渡した状態で係止可能な凹溝を形成し、両嵌合片の凹溝に係止片を係止した状態で前記長形孔に下方から両嵌合片及び係止片を挿入可能となすことがより好ましい。
【０００９】
そして、前記ばねユニットの当止体は、中心部に円形孔を形成するとともに、前記圧縮コイルばねの一端を当止し得る当止板と、二つ割り部材であり、重合面に前記テンション杆をスライド可能に挟持する縦溝を形成するとともに、下部外周に前記当止板の円形孔に接合するテーパー面を形成し且つ重合状態で上端が前記背凭れ支持部材の開口縁に当止可能である当止部材とからなり、更に前記当止板の周囲から延びた筒状カバー部と前記ノブとで前記圧縮コイルばねを外覆してなるものである。
【００１０】
あるいは、前記ノブは少なくとも一端が閉塞板で閉塞された筒体であり、一端の閉塞板と、ノブ内部に回転不能且つ軸方向スライド可能に内装するとともに、前記テンション杆を螺合した可動板との間に圧縮コイルばねを介装したものであり、前記ばねユニットの当止体は、中心部に円形孔を形成した前記閉塞板と、二つ割り部材であり、重合面に前記テンション杆をスライド可能に挟持する縦溝を形成するとともに、下部外周に前記閉塞板の円形孔に接合するテーパー面を形成し且つ重合状態で上端が前記背凭れ支持部材の開口縁に当止可能である当止部材とからなるものである。
【００１１】
【発明の実施の形態】
次に本発明の実施の形態を添付図面に基づき更に詳細に説明する。図１は本発明に係る椅子の全体斜視図、図２〜図１０は椅子の機構部分の詳細図を示し、図中符号１は脚部、２は座部、３は背凭れ部、４はばねユニット、５は取付体、６は背凭れ支持部材、７は座支持部材をそれぞれ示している。
【００１２】
本発明に係る椅子は、脚部１に座部２を回転可能に取付けるとともに、背凭れ部３を前後傾動可能に取付け且つ該背凭れ部３の動作に連動して座部２の後部を上下動可能となすとともに、前後スライド可能となし、そして一つのばねユニット４にて前記背凭れ部３の後傾動と座部２の後部の下動に対して弾性抵抗力を同時に付与したものである。
【００１３】
つまり、本発明に係る椅子は、脚部１に取付けた取付体５の中央部下部に背凭れ支持部材６の下端部を第１枢着部８にて前後傾動可能に取付け、前記取付体５の上位に略水平に配した座支持部材７の前部を該取付体５の前部に前後スライド可能且つ上下揺動可能に連結するとともに、座支持部材７の後部と、前記背凭れ支持部材６の第１枢着部８とは異なる部分とを、第２枢着部９にて回動可能に連結し、前記取付体５の後部に対して背凭れ支持部材６を強さが調節可能なばねユニット４で前傾方向へ弾性付勢してなるものである。
【００１４】
前記取付体５は、スチール板材をプレス加工によって一体成形したものであり、底板１０から周囲が立ち上がった上方開放の箱状であり、少なくとも両側板１１，１１と底板１０の後部に後方上方へ傾斜した傾斜部１２を有し、上縁周囲には祖と向きに鍔部１３を形成したものである。
【００１５】
更に詳しくは、前記取付体５には、前記両側板１１，１１の前部に横長の開口１４，１４を形成するとともに、該開口１４の直上の鍔部１３を切起して当止片１５をそれぞれ両側に突設し、また両側板１１，１１の後部に鍔部１３にわたって切欠部１６，１６を形成している。また、前記底板１０の中央部やや後方寄り位置には、脚部１に立設したガスシリンダー１７の上端部を取付けるための円形孔１８を形成するとともに、取付体５の内部で前記底板１０とは間隔を置いて固着した固定部材１９の中央部にも円形孔２０を形成し、両円形孔１８，２０を貫通するように上方が縮径したテーパー状の固定筒２１を固着し、該固定筒２１に前記ガスシリンダー１７の先細上端部を嵌着するようになっている。更に、前記底板１０の下面で中央部やや後方寄り位置には、支持部材２２を固着し、該支持部材２２の両側縁に下向きに形成した支持板２３，２３には前記第１枢着部８を構成する支軸２４を挿通するための支持孔２５，２５を形成している。尚、前記支持部材２２に設けた支持孔２５，２５の位置は、前記ガスシリンダー１７よりも若干前方である。
【００１６】
前記背凭れ支持部材６は、後部に背凭れ杆２６を連設若しくは一体形成した部材であり、背凭れ杆２６の上部には図示しないクッション体を取付けて前記背凭れ部３を構成するものである。前記背凭れ支持部材６の前部は斜め前下方へ延び、背面を構成する主板２７の両側縁に上方へ向いた連結板２８，２８を有し、該連結板２８，２８の中央部側には上方へ略三角形状となして幅広となっており、該連結板２８の前下部には前記支軸２４を挿通するための支持孔２９を形成するとともに、後上部には前記第２枢着部９を構成する支軸３０を挿通するための連結孔３１を形成している。また、前記背凭れ支持部材６の主板２７の前下端部には、前記ガスシリンダー１７を受け入れる前方開放した切欠開口３２を形成している。
【００１７】
前記座支持部材７は、上面板３３の両側に側面板３４，３４を下方へ延設した断面略コ字形の部材であり、該上面板３３の上部に図示しないクッション体を取付けて前記座部２を構成するものである。前記座支持部材７は、前記側面板３４，３４間に取付体５を受け入れることが可能で且つ前記背凭れ支持部材６の両連結板２８，２８間に受け入れられることが可能な横幅を有し、該側面板３４，３４の前部下方へ張り出した部分に、前記取付体５の開口１４，１４に前後動可能に遊嵌するガイド軸３５を取付けるための通孔３６，３６を形成するとともに、側面板３４，３４の後部に前記支軸３０を受け入れる下方開放した切欠溝３７，３７を形成している。更に詳しくは、前記ガイド軸３５には、円筒状の合成樹脂製スリーブ３８が被嵌されており、前記取付体５の当止片１５の上端に当該座支持部材７の上面板３３が載支された状態で、前記開口１４内でスリーブ３８が自由に前後移動できるように該開口１４の上下幅を設定している。尚、前記ガイド軸３５は両側面板３４，３４からそれぞれ突設した突起であっても良い。また、前記切欠溝３７は前記支軸３０を挿通するのに必要最小限な幅の導入部３７Ａと、支軸３０に被嵌した円筒状の合成樹脂製スリーブ３９を回転可能に嵌合する軸受部３７Ｂとからなっている。そして、図４に示した最大負荷状態、即ち着座して背凭れ部３に凭れ掛かって前記背凭れ支持部材６が最も後傾して前記座支持部材７の後部が後方へ移動しながら沈んだ状態で、前記スリーブ３９又は該スリーブ３９が支軸３０の両端部のみに設けた場合には支軸３０が、前記固定部材１９の上面に取付けた緩衝板４０に当止するようになっている。
【００１８】
そして、前記脚部１のガスシリンダー１７の上端に前記取付体５を取付けた状態で、前記背凭れ支持部材６を取付体５の後部下方からあてがい、前記支持部材２２の支持板２３，２３を両連結板２８，２８間に位置させ、支持板２３，２３の支持孔２５，２５と連結板２８，２８の支持孔２９，２９とに前記支軸２４を挿通して連結する。この際、それぞれ両側部で両支持孔２５，２９に合成樹脂製のスリーブ４１を嵌挿し、該スリーブ４１に前記支軸２４を挿通して回動時の金属音が発生しないようにしている。また、前記前記背凭れ支持部材６が最も後傾した場合に、それ以上の後傾を制限するために、前記支持板２３，２３の下端部にストッパー片４２を突設し、前記背凭れ支持部材６の主板２７の両側先端が該ストッパー片４２に当止するようになっている。
【００１９】
それから、前記座支持部材７を取付体５に被せて、前部は前記当止片１５，１５に上面板３３を載支するとともに、前記ガイド軸３５を開口１４，１４を貫通させて取付け、後部は前記背凭れ支持部材６の連結孔３１，３１に貫通させた支軸３０を前記切欠溝３７，３７内に受け入れるとともに、支軸３０に外嵌したスリーブ３９を切欠溝３７の軸受部３７Ｂに嵌合して上下方向へ抜け止め状態で連結する。つまり、前記座支持部材７の前部は取付体５の前部に前後スライド可能且つ上下揺動可能に連結されている。
【００２０】
前記ガイド軸３５と開口１４との係合部、第１枢着部８を構成する支軸２４、第２枢着部９を構成する支軸３０とは、逆三角形の頂点に位置し、図３に示した状態から背凭れ支持部材６が後方へ傾動すると、その動作に伴って座支持部材７の後部が下動するとともに、座支持部材７が全体的に後方へ移動して図４に示した状態となる。この場合、前記当止片１５が上面板３３の下面に接触した状態を維持しながら、前記ガイド軸３５が開口１４内を後方へ移動することになる。
【００２１】
次に、本発明に係る椅子の背凭れ傾動機構におけるばねユニットの取付構造について説明する。ここで、前記背凭れ支持部材６を前傾方向へ弾性付勢するためのばねユニット４は、図２〜図１０に詳しく示されているように、取付体５の底板１０に対して背凭れ支持部材６の主板２７を引き付ける方向に弾性力を付与し、またその弾性力の強さを調節できるものである。また、当該ばねユニット４は、一つの構成部品として組み立てた後、所定位置に簡単に装着できるにも係わらず、容易に外れないようになしたことを特徴としている。
【００２２】
つまり、前記ばねユニット４は、脚部１に取付けた取付体５の後部に対して背凭れ支持部材６を前傾方向へ弾性付勢するものであり、ノブ４３から延びたテンション杆４４を当止体４５に挿通するとともに、ノブ４３と当止体４５間に圧縮コイルばね４６を介装し、前記テンション杆４４の先端に係止片４７を略Ｔ字形となるように形成してなり、前記取付体５には前記係止片４７が通過可能な長形孔４９とそれに交叉する係合凹部５０からなる係止部４８を形成し、前記背凭れ支持部材６には前記係止片４７が通過可能且つ前記当止体４５が通過不能な開口５１を形成し、前記テンション杆４４の先端部を開口５１と長形孔４９に挿通し且つ前記当止体４５を背凭れ支持部材６の背面に当止した後、テンション杆４４を回転させて前記係止片４７を係合凹部５０に係合するとともに、前記長形孔４９内に規制体５２の一部を嵌合保持して前記テンション杆４４を回転止めしてなるものである。
【００２３】
更に詳しくは、前記ばねユニット４の当止体４５は、中心部に前記係止片４７が通過可能な円形孔５３を形成するとともに、前記圧縮コイルばね４６の一端を当止し得る当止板５４と、二つ割り部材であり、重合面に前記テンション杆４４をスライド可能に挟持する縦溝５６を形成するとともに、下部外周に前記当止板５４の円形孔５３に接合するテーパー面５７を形成し且つ重合状態で上端が前記背凭れ支持部材６の開口５１の縁部に当止可能である当止部材５５，５５とから構成されている。ここで、前記二つ割り当止部材５５，５５は、硬質ゴム等の弾性変形可能な素材で成形し、重合状態で上端部に前記取付体５の長形孔４９に遊挿可能である。更に、前記当止板５４には、その周囲から延びた筒状カバー部５８を有し、該カバー部５８と前記ノブ４３とで前記圧縮コイルばね４６を外覆している。前記カバー部５８は、前記ノブ４３を内挿できる内径を有し、常にノブ４３の上部が内挿された状態となっている。尚、本実施形態では、前記円形孔５３は、テーパー面５７に面接合するテーパー孔で形成している。
【００２４】
そして、前記テンション杆４４の下部に形成した螺軸部５９に小判型のフランジ付きナット部材６０を螺合するとともに、該ナット部材６０を前記ノブ４３に回り止め状態で保持し、該ノブ４３を回転することにより、弾性付勢力を調節できるようになっている。尚、前記ナット部材６０を螺軸部５９に螺合した後に、該螺軸部５９の先端をカシメることにより抜けないようにしている。更に、前記ノブ４３は、上方へ開放した筒状部材であり、中央部に前記ナット部材６０を保持する円筒形状の保持部６１を形成するとともに、その周囲に前記圧縮コイルばね４６の一端を保持する環状凹部６２を形成している。また、前記保持部６１の上面には前記係止片４７が通過可能で前記ナット部材６０のフランジ部６３が通過不能な装着孔６４を形成している。更に、前記保持部６１の開口部はキャップ６５を嵌着して閉鎖している。
【００２５】
前記規制体５２は、本実施形態では同一形状で互いに１８０度回転させた状態で嵌合して一体化する二つ割りの規制小体６６，６６から構成されている。ここで、前記規制体５２の二つ割り構造は、特に限定されないが、図５〜図７に示した規制小体６６で構成すれば、互いに無理嵌め状態で一体化できるので好ましく、また予め一端に係止片４７が固定され且つ他端に抜け止め状態でナット部材６０が螺合されている前記テンション杆４４の軸部に外挿するためには必要であるが、ナット部材６０を後で螺合して組み立てる場合には、図１１に示したように一体成形したものであっても良いのである。つまり、図７に示した本実施形態の規制体５２は、前記背凭れ支持部材６の背面に係止し且つ前記開口５１を通して前記当止体４５に接触可能であるとともに、中心部に前記テンション杆４４を挿通する挿通孔６７を形成したフランジ部６８と、該フランジ部６８の挿通孔６７を挟んだ位置から延び前記テンション杆４４の両側に残る前記長形孔４９内に嵌入可能であるとともに、前記係止片４７の上端に係止可能な一対の嵌合片６９，６９とを有するものである。
【００２６】
更に詳しくは、前記規制体５２の両嵌合片６９，６９の先端に、前記テンション杆４４の係止片４７を渡した状態で係止可能な凹溝７０，７０を形成し、両嵌合片６９，６９の凹溝７０，７０に係止片４７を係止した状態で前記長形孔４９に下方から両嵌合片６９，６９及び係止片４７を共に挿入可能となしている。また、前記両嵌合片６９，６９の先端部内側には、当該嵌合片６９，６９の間に落とし込んだ係止片４７の上端に係止できるように係止爪部７１，７１を突設している。また、前記テンション杆４４の係止片４７は、棒体の上面を水平面でカットした断面倒Ｄ字形となして、前記嵌合片６９，６９の間に落とし込み易く、しかも係止爪部７１，７１を確実に係止できるようにしている。
【００２７】
前述の規制体５２を構成する規制小体６６は、図５及び図６に示すように、下部に半割のフランジ部６８Ａを有し、該フランジ部６８Ａから両嵌合片６９Ａ，６９Ａを立設するとともに、両嵌合片６９Ａ，６９Ａ間に対応するフランジ部６８Ａの内縁部には前記挿通孔６７を形成する凹部６７Ａを形成し、更に一方の嵌合片６９Ａの上部内側に係止爪部７１Ａを突設している。そして、一方の嵌合片６９Ａの外側一側に嵌合凹部７２Ａを上下に形成するとともに、他方の嵌合片６９Ａの内側他側に前記嵌合凹部７２Ａと凹凸嵌合し得る形状の嵌合凸部７３Ａを形成している。このように「Ａ」を付した一方の規制小体６６と、図６に示すように［Ｂ」を付した他方の規制小体６６とを、前記テンション杆４４の軸部を挟んで両側から互いに嵌合し、それぞれのフランジ部６８Ａ，６８Ｂで前記フランジ部６８を形成し、内外に接合された嵌合片６９Ａ，６９Ｂで前記嵌合片６９を形成するのである。また、前記フランジ部６８の上面は周囲が薄肉となった円錐形状とし、前記係合凹部５０の下面に対応する部分には凹溝７４を形成している。
【００２８】
そこで、前記ばねユニット４を組み立てるには、図２に示すように、先ず螺軸部５９にナット部材６０を螺合したテンション杆４４を、係止片４７側からノブ４３の装着孔６４に下方より挿通し、ナット部材６０を保持部６１の内部に嵌合する。次に、前記係止片４７側から圧縮コイルばね４６をテンション杆４４に巻装し、その一端を環状凹部６２に嵌合した後、前記カバー部５８を有する当止板５４の円形孔５３に係止片４７側からテンション杆４４を挿通し、圧縮コイルばね４６の一端を当止板５４に当止する。それから、テーパー状の円形孔５３の外部に、同じくテーパー面５７を有する二つ割りの当止部材５５，５５をその縦溝５６，５６でテンション杆４４の軸部を挟み込んで装着し、前記圧縮コイルばね４６を圧縮しながら、当止部材５５，５５と係止片４７との間に前記規制体５２を装着するとともに、両嵌合片６９，６９の凹溝７０，７０に係止片４７を係止する。この状態で、圧縮コイルばね４６に加えていた圧縮力を除いても、ばねユニット４はそのままの状態を維持する。これで、ばねユニット４の組み立てと所定部位への装着前の設定を完了する。
【００２９】
そして、図８に示すように、前記テンション杆４４の係止片４７を、規制体５２の両嵌合片６９，６９とともに前記背凭れ支持部材６の開口５１に下方より挿入し、更に取付体５の長形孔４９に挿入し、前記係止片４７を取付体５の底板１０後部の傾斜部１２上面に出現させる。それから、前記係止片４７をテンション杆４４を中心として強制的に回転させて該係止片４７を凹溝７０，７０から外せば、前記圧縮コイルばね４６の弾性復元力によって、該係止片４７が両嵌合片６９，６９間に落ち込み、前記係合凹部５０に係合すると同時に係止爪部７１，７１によって抜止状態となる（図９及び図１０参照）。ここで、抜止状態とは、前記規制体５２の両嵌合片６９，６９が取付体５の長形孔４９に嵌合した状態を維持することを意味し、両嵌合片６９，６９で前記係止片４７の中央部を挟んで該係止片４７の回転を強制的に制限することにより、該係止片４７が長形孔４９から抜けることがなくなるのである。
【００３０】
次に、本発明に係る椅子の動作について説明する。図３に示した無負荷状態、即ち着座しない初期状態では、前記ばねユニット４の圧縮コイルばね４６の弾性付勢力によって背凭れ支持部材６の主板２７が取付体５の底板１０後部の傾斜部１２に最も接近し、当止体４５の当止部材５５と底板１０が接触している。また、取付体５の傾斜部１２と当止部材５５との間には、背凭れ支持部材６の開口５１を貫通した規制体５２のフランジ部６８が挟まれている。それから、座部２に着座して背凭れ部３に凭れ掛かかると、前記背凭れ支持部材７は第１枢着部８を中心に後傾するとともに、それに伴って前記座支持部材７の後部が若干後方へ変位しながら沈み、遂には図４に示した最大負荷状態となって、前記スリーブ３９の下端が前記取付体５の固定部材１９の上面に設けた緩衝体４０に当接する。つまり、前記背凭れ支持部材６と座支持部材７の動作変化の両極端を規定している。
【００３１】
また、前記二つ割り当止部材５５，５５の両縦溝５６，５６でテンション杆４４の上部を挟持し、しかもテーパー面５７，５７を当止板５４のテーパー状円形孔５３に嵌合していることから、両縦溝５６，５６とテンション杆４４との間には常に摺動摩擦力が働き、背凭れ支持部材６の前後方向の傾動動作時にその摩擦力が制動力となって急激な変化を規制するのである。更に、この制動力は、背凭れ支持部材６が後傾するにつれて圧縮コイルばね４６の弾性力が大きくなって両縦溝５６，５６をテンション杆４４に押し付ける力が増大するので徐々に大きくなる。従って、背凭れ支持部材６の後傾に対する抵抗力は、圧縮コイルばね４６の弾性力と、両縦溝５６，５６とテンション杆４４との間に生じる制動力との和になる。一方、着座者が後傾状態から立起状態に起き上がる際には、背凭れ支持部材６に作用する後傾方向の負荷が急激に小さくなって、圧縮コイルばね４６の弾性力によって背凭れ支持部材６が初期状態に速やかに復帰しようとするが、前述の両縦溝５６，５６とテンション杆４４との間に生じる制動力によってその復帰動作が緩やかになる。
【００３２】
また、図１１に示した変形例は、前述の如く前記ばねユニット４の規制体５２の構造が一体構造のものである。この場合、前記ばねユニット４の組立て手順が異なり、先ず前記テンション杆４４の螺軸部５９から規制体５２を挿入し、それから当止部材５５，５５を組付けながら、同じく螺軸部５９から圧縮コイルばね４６とノブ４３の装着孔６４を次々に通し、圧縮コイルばね４６を圧縮しながらナット部材６０を螺軸部５９に螺合する。その後に、ばねユニット４を所定位置に装着する方法は前述と同様である。
【００３３】
また、図１２に示した変形例は、前記規制体５２を用いることなく、係合凹部５０に係合した係止片４７の回転を規制するものであり、前記長形孔４９を傾斜部１２にプレス成形する際に該傾斜部１２の板材をバーリング加工することよってその周囲に立起部７５，７５を形成したものである。そして、前記立起部７５，７５の立ち上がり縁で前記係止片４７の回転を規制するのである。
【００３４】
また、図１３には、ばねユニット４の変形例を示してある。このばねユニット４は、前記ノブ４３は少なくとも一端が閉塞板７６で閉塞された筒体であり、一端の閉塞板７６と、ノブ４３内部に回転不能且つ軸方向スライド可能に内装するとともに、前記テンション杆４４の螺軸部５９に螺合したナット部材６０を相対回転不能に嵌合した可動板７７との間に圧縮コイルばね４６を介装したものであり、前記ばねユニット４の当止体４５は、中心部に円形孔５３を形成した前記閉塞板７６と、二つ割り部材であり、重合面に前記テンション杆４４をスライド可能に挟持する縦溝５６を形成するとともに、下部外周に前記閉塞板７６の円形孔５３に接合するテーパー面５７を形成し且つ重合状態で上端が前記背凭れ支持部材６の開口５１の口縁部に当止可能である当止部材５５，５５とから構成されたものである。この場合も、前記圧縮コイルばね４６は外部に露出することがないので、外観的にもスッキリとしたものになる。
【００３５】
【発明の効果】
以上にしてなる請求項１に係る発明の椅子の背凭れ傾動機構におけるばねユニットの取付構造は、脚部に取付けた取付体に対して背凭れ支持部材をばねユニットにて前傾方向へ弾性付勢する椅子の背凭れ傾動機構において、前記ばねユニットは、ノブから延びたテンション杆を当止体に挿通するとともに、ノブと当止体間に圧縮コイルばねを介装し、前記テンション杆の先端に係止片を略Ｔ字形となるように形成してなり、前記取付体には前記係止片が通過可能な長形孔とそれに交叉する係合凹部からなる係止部を形成し、前記背凭れ支持部材には前記係止片が通過可能且つ前記当止体が通過不能な開口を形成し、前記テンション杆の先端部を開口と長形孔に挿通し且つ前記当止体を背凭れ支持部材の背面に当止した後、テンション杆を回転させて前記係止片を係合凹部に係合するとともに、前記長形孔内に規制体の一部を嵌合保持して前記テンション杆を回転止めしてなるので、背凭れ傾動機構へのばねユニットの取付作業が極めて簡単且つ短時間で行うことができるにも係わらず、前記係止片が係合した係合凹部から外れる恐れがないのである。
【００３６】
請求項２によれば、前記効果に加えて、規制体の両嵌合片が長形孔内に嵌合し、両嵌合片で係止片の中央部を挟んで、該係止片の回転を強制的に制限することができるので、係止片が係合した係合凹部から外れることが全くないのである。
【００３７】
請求項３によれば、前記効果に加えて、背凭れ傾動機構へのばねユニットの取付作業が極めて簡単であるにもかかわらず、背凭れ傾動機構にばねユニットを装着した状態が極めて安定であり、不意に分解する恐れもないのである。
【００３８】
請求項４及び５によれば、前記効果に加えて、圧縮コイルばねが外部に露出しないので、ばねユニットの外観性がスッキリしたものとなるばかりでなく、誤って圧縮コイルばねに指を挟まれることを未然に防止できる。
【図面の簡単な説明】
【図１】本発明に係る椅子の全体斜視図である。
【図２】背凭れ支持部材と座支持部材の傾動機構及びばねユニットを示す分解断面図である。
【図３】無負荷状態の要部の縦断面図である。
【図４】最大負荷状態の要部の縦断面図である。
【図５】規制体を構成する規制小体を示し、（ａ）は平面図、（ｂ）は側面図、（ｃ）は（ａ）のＸ−Ｘ線断面図である。
【図６】規制体の分解斜視図である。
【図７】同じく規制体の斜視図である。
【図８】ばねユニットを背凭れ支持部材と取付体に装着する状態を示す部分斜視図である。
【図９】同じくばねユニットを背凭れ支持部材と取付体に装着した状態を示す部分斜視図である。
【図１０】同じくばねユニットを背凭れ支持部材と取付体に装着した状態を示す部分平面図である。
【図１１】規制体の変形例を示す斜視図である。
【図１２】係止片の外れ防止構造の他の例を示す部分斜視図である。
【図１３】ばねユニットの変形例を示す要部の縦断面図である。
【符号の説明】
１  脚部                  ２  座部
３  背凭れ部              ４  ばねユニット
５  取付体                ６  背凭れ支持部材
７  座支持部材            ８  第１枢着部
９  第２枢着部            １０  底板
１１  側板                １２  傾斜部
１３  鍔部                １４  開口
１５  当止片              １６  切欠部
１７  ガスシリンダー      １８  円形孔
１９  固定部材            ２０  円形孔
２１  固定筒              ２２  支持部材
２３  支持板              ２４  支軸
２６  背凭れ杆            ２７  主板
２８  連結板              ２９  支持孔
３０  支軸                ３１  連結孔
３２  切欠開口            ３３  上面板
３４  側面板              ３５  ガイド軸
３６  通孔                ３７  切欠溝
３７Ａ  導入部            ３７Ｂ  軸受部
３８  スリーブ            ３９  スリーブ
４０  緩衝体              ４１  スリーブ
４２  ストッパー片        ４３  ノブ
４４  テンション杆        ４５  当止体
４７  係止片              ４８  係止部
４９  長形孔              ５０  係合凹部
５１  開口                ５２  規制体
５３  円形孔              ５４  当止板
５５  当止部材            ５６  縦溝
５７  テーパー面          ５８  カバー部
５９  螺軸部              ６０  ナット部材
６１  保持部              ６２  環状凹部
６３  フランジ部          ６４  装着孔
６５  キャップ            ６６  規制小体
６７  挿通孔              ６７Ａ  凹部
６８  フランジ部          ６９  嵌合片
７０  凹溝                ７１  係止爪部
７２Ａ  嵌合凹部          ７３Ａ  嵌合凸部
７４  凹溝                ７５  立起部
７６  閉塞板              ７７  可動板
【図１】
0003661560.tif 000002
【図２】
0003661560.tif 000003
【図３】
0003661560.tif 000004
【図４】
0003661560.tif 000005
【図５】
0003661560.tif 000006
【図６】
0003661560.tif 000007
【図７】
0003661560.tif 000008
【図８】
0003661560.tif 000009
【図９】
0003661560.tif 000010
【図１０】
0003661560.tif 000011
【図１１】
0003661560.tif 000012
【図１２】
0003661560.tif 000013
【図１３】
0003661560.tif 000014